(57)【要約】【課題】使用者に適した初期画面の提示に係る処理を効率よく実行することのできる放送画像出力装置を提供すること。【解決手段】放送画像出力装置１１０であって、放送を受信する受信部１１２と、複数のホーム画面２００であって、それぞれが、表示領域の部分毎ごとに、使用者の操作による選択が可能な、受信部により受信した放送に関する放送画像２１０、および、アプリ画像２２０のいずれか一方が配置可能な複数のホーム画面２００のそれぞれを出力する出力部１１４と、予め設定された設定情報１２０に従って複数のホーム画面２００のいずれかを選択し、選択したホーム画面２００を、放送画像出力装置１１０の電源がオンにされた後の初期画面であって、使用者の操作を受け付けることのできる初期画面として、出力部１１４に出力させる制御部１１６とを備える。【選択図】図２
2014127879.tif 000002
【特許請求の範囲】
【請求項１】
放送画像出力装置であって、
放送を受信する受信部と、
複数のホーム画面であって、それぞれが、表示領域の部分毎に、使用者の操作による選択が可能な、前記受信部により受信した放送に関する放送画像、および、前記放送画像以外の画像のいずれか一方が配置可能な複数のホーム画面のそれぞれを出力する出力部と、
予め設定された設定情報に従って前記複数のホーム画面のいずれかを選択し、選択したホーム画面を、前記放送画像出力装置の電源がオンにされた後の初期画面であって、使用者の操作を受け付けることのできる初期画面として、前記出力部に出力させる制御部と、
を備える放送画像出力装置。
【請求項２】
前記制御部はさらに、前記出力部によって出力されるホーム画面を他のホーム画面に切り替える指示であるホーム切替指示を受け付けた場合、当該ホーム切替指示に従って、前記出力部に前記他のホーム画面を出力させる、
請求項１記載の放送画像出力装置。
【請求項３】
前記出力部はさらに、前記複数のホーム画面のうちの少なくとも２つのホーム画面それぞれの少なくとも一部を表示するホーム切替画面を出力し、
前記制御部は、前記出力部から前記ホーム切替画面が出力されている期間に、前記ホーム切替指示である、前記少なくとも２つのホーム画面の中から選択された１つのホーム画面の指定を受け付ける、
請求項２記載の放送画像出力装置。
【請求項４】
前記出力部は、前記制御部による制御に従って、前記複数のホーム画面のうちの１つのホーム画面であって、前記放送画像および前記放送画像以外の画像の両方を含むホーム画面を出力する、
請求項１〜３のいずれか１項に記載の放送画像出力装置。
【請求項５】
前記制御部はさらに、前記放送画像が、前記出力部から出力されているホーム画面の一部分に配置されている場合において、前記放送画像に対する所定の指示を受け付けた場合、前記出力部に、前記放送画像を拡大することで得られる拡大放送画面を出力させる、
請求項１〜３のいずれか１項に記載の放送画像出力装置。
【請求項６】
前記制御部は、前記放送画像出力装置の電源がオンにされた場合、前記複数のホーム画面のうちの、前記出力部が最後に出力したホーム画面である最終ホーム画面を示す前記設定情報に従って、前記最終ホーム画面を選択し、選択した前記最終ホーム画面を、前記初期画面として出力部に出力させる、
請求項１〜３のいずれか１項に記載の放送画像出力装置。
【請求項７】
前記制御部はさらに、前記使用者からの指示に従って前記設定情報を更新し、前記設定情報の更新後に、前記放送画像出力装置の電源がオンにされた場合、更新された前記設定情報に示されるホーム画面を選択し、選択した前記ホーム画面を、前記初期画面として出力部に出力させる、
請求項１〜３のいずれか１項に記載の放送画像出力装置。
【請求項８】
前記制御部はさらに、前記放送画像が、前記出力部から出力されているホーム画面の一部分に配置されている場合において、前記放送画像の大きさを変更する指示を受け付けた場合、前記指示に応じて変更された大きさの前記放送画像を含む前記ホーム画面を、前記出力部に出力させる、
請求項１〜３のいずれか１項に記載の放送画像出力装置。
【請求項９】
前記制御部は、さらに、前記放送画像以外の画像が、前記出力部から出力されているホーム画面の一部分に配置されている場合において、前記放送画像以外の画像の大きさの変更をする指示を受け付けた場合、前記指示に応じて変更された大きさの前記放送画像以外の画像を含む前記ホーム画面を、前記出力部にさせる、
請求項１〜３のいずれか１項に記載の放送画像出力装置。
【請求項１０】
さらに、使用者の身体的特徴を示す特徴情報を取得し、取得した特徴情報に従って前記使用者を識別する識別部を備え、
前記制御部はさらに、前記識別部による識別結果に応じて、前記複数のホーム画面のうちのいずれかを選択し、選択したホーム画面を前記出力部に出力させる、
請求項１〜３のいずれか１項に記載の放送画像出力装置。
【請求項１１】
さらに、時刻を特定する特定部を備え、
前記制御部は、前記特定部が特定した時刻に応じて、前記複数のホーム画面のうちのいずれかを選択し、選択したホーム画面を前記出力部に出力させる、
請求項１記載の放送画像出力装置。
【請求項１２】
放送を受信するチューナと、前記チューナが受信した放送に関する放送画像を表示することのできるディスプレイと、前記ディスプレイの表示を制御するプロセッサとを備えたテレビであって、
前記ディスプレイは、前記プロセッサの制御に従って、複数のホーム画面のうちのいずれかを表示し、
前記複数のホーム画面のそれぞれには、表示領域の部分毎に、使用者の操作による選択が可能な、前記受信部が受信した放送に関する放送画像、および、前記放送画像以外の画像のいずれか一方が配置されており、
前記プロセッサは、
予め設定された設定情報に従って前記複数のホーム画面のいずれかを選択し、選択したホーム画面を、前記テレビの電源がオンにされた後の初期画面であって、使用者の操作を受け付けることのできる初期画面として、前記ディスプレイに表示させる、
テレビ。
【請求項１３】
放送を受信し、
予め設定された設定情報に従って複数のホーム画面のいずれかを選択し、
選択したホーム画面を、前記放送画像出力装置の電源がオンにされた後の初期画面であって、使用者の操作を受け付けることのできる初期画面として出力し、
前記複数のホーム画面のそれぞれは、表示領域の部分毎に、使用者の操作の操作による選択が可能な、前記受信した放送に関する放送画像、および、前記放送画像以外の画像のいずれか一方が配置可能である、
放送画像出力方法。
【発明の詳細な説明】
【技術分野】
【０００１】
本発明は、放送画像の出力が可能な放送画像出力装置およびテレビに関する。
【背景技術】
【０００２】
特許文献１は、テレビに情報を表示する情報表示装置を開示する。この情報表示装置は、電源がオンにされた時に、前回の電源オフ時に視聴していたチャンネル（ラストチャンネル）を初期画面として表示する。
【０００３】
また、この情報表示装置は、初期画面の表示後に、ユーザ操作に応じて、複数のアイコンを示すＧＵＩ（Ｇｒａｐｈｉｃａｌ  Ｕｓｅｒ  Ｉｎｔｅｒｆａｃｅ）画面を表示する。これにより、この情報表示装置は、ユーザに選択されたアイコンに応じたデータ表示等の処理を実行することができる。
【先行技術文献】
【特許文献】
【０００４】
【特許文献１】特許第４０５２８０２号公報
【発明の概要】
【発明が解決しようとする課題】
【０００５】
本開示は、使用者に適した初期画面の提示に係る処理を効率よく実行することのできる放送画像出力装置を提供する。
【課題を解決するための手段】
【０００６】
本開示における放送画像出力装置は、放送画像出力装置であって、放送を受信する受信部と、複数のホーム画面であって、それぞれが、表示領域の部分毎に、使用者の操作による選択が可能な、前記受信部により受信した放送に関する放送画像、および、前記放送画像以外の画像のいずれか一方が配置可能な複数のホーム画面のそれぞれを出力する出力部と、予め設定された設定情報に従って前記複数のホーム画面のいずれかを選択し、選択したホーム画面を、前記放送画像出力装置の電源がオンにされた後の初期画面であって、使用者の操作を受け付けることのできる初期画面として、前記出力部に出力させる制御部と、を備える。
【発明の効果】
【０００７】
本開示における画像処理装置は、使用者に適した初期画面の提示に係る処理を効率よく実行することができる。
【図面の簡単な説明】
【０００８】
【図１】実施の形態におけるテレビおよびリモコンの外観を示す図
【図２】実施の形態におけるテレビの基本的な機能構成を示すブロック図
【図３】実施の形態における放送画像出力装置の基本的な動作の流れを示すフロー図
【図４】実施の形態におけるホーム画面の基本構成の一例を示す図
【図５Ａ】実施の形態におけるホーム画面の第１の例を示す図
【図５Ｂ】実施の形態におけるホーム画面の第２の例を示す図
【図５Ｃ】実施の形態におけるホーム画面の第３の例を示す図
【図６】実施の形態のホーム画面において放送画像が選択されている状態を示す図
【図７Ａ】実施の形態のテレビにおいて放送画像が全画面表示されている状態を示す図
【図７Ｂ】実施の形態のテレビにおいてアプリの設定のための画面が全画面表示されている状態を示す図
【図８】実施の形態のテレビにおける表示画面の遷移の例を示す第１の図
【図９】実施の形態におけるホーム切替画面の一例を示す図
【図１０】実施の形態のテレビにおける表示画面の遷移の例を示す第２の図
【図１１】実施の形態におけるホーム画面の各種設定等のためのボタンの表示例を示す図
【図１２】実施の形態における初期画面の選択肢の例を示す図
【図１３】実施の形態におけるアプリの編集のための画面の第１の例を示す図
【図１４】実施の形態におけるアプリの編集のための画面の第２の例を示す図
【図１５】実施の形態におけるテンプレート選択画面の一例を示す図
【図１６】実施の形態における顔認識を説明するための図
【図１７】実施の形態における顔認識機能を有するテレビの基本的な機能構成を示すブロック図
【図１８】実施の形態におけるテレビの基本的なハードウェア構成の一例を示す図
【図１９】初期画面として表示するホーム画面を時刻に応じて変更する機能を有するテレビの基本的な機能構成を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって特許請求の範囲に記載の主題を限定することを意図するものではない。また、各図は、模式図であり、必ずしも厳密に図示したものではない。
【００１１】
（実施の形態）
［１−１．構成］
図１は、実施の形態におけるテレビ１００およびリモコン１７０の外観を示す図である。
【００１２】
図２は、実施の形態におけるテレビ１００の基本的な機能構成を示すブロック図である。
【００１３】
図１および図２に示すように、実施の形態におけるテレビ１００は、放送画像出力装置１１０とディスプレイ１５０とを備える。
【００１４】
テレビ１００は、ユーザが操作するリモコン（ｒｅｍｏｔｅ  ｃｏｎｔｒｏｌ／ｒｅｍｏｔｅ  ｃｏｎｔｒｏｌｌｅｒ）１７０からの信号に従ってチャンネルの切り替え等の動作を実行することができる。
【００１５】
具体的には、リモコン１７０は複数のキーを有し、使用者によって押下されたキーに応じた指示を示す信号を、例えば赤外線でテレビ１００に送信する。なお、リモコン１７０とテレビ１００との間の通信方式には特に限定はなく、例えば、Ｂｌｕｅｔｏｏｔｈ（登録商標）等の無線通信によってリモコン１７０とテレビ１００との間で双方向通信が行われてもよい。
【００１６】
また、テレビ１００は、図２に示す機能ブロック以外に、スピーカ等の、テレビ受像機として備えるべき他の構成要素も備えているが、本開示の内容を明確に説明するために、これら他の構成要素についての図示および説明は省略する。
【００１７】
放送画像出力装置１１０は、図２に示すように、受信部１１２と、出力部１１４と、制御部１１６と、記憶部１１７とを備える。
【００１８】
受信部１１２は、テレビ１００のチューナ（図２に図示せず）が受信する、地上波放送、衛星放送、ケーブル放送、または、インターネット放送等の放送を受信する。なお、受信部１１２が当該チューナとして機能してもよい。
【００１９】
出力部１１４は、複数のホーム画面２００のそれぞれを出力することができる。出力されたホーム画面２００は、ディスプレイ１５０に表示される。
【００２０】
ホーム画面２００のそれぞれには、例えば図１に示すように、表示領域の部分毎に、受信部１１２により受信した放送に関する放送画像２１０、および、放送画像２１０以外の画像のいずれか一方が配置されている。
【００２１】
本実施の形態では、放送画像２１０として、受信部１１２により受信した放送の再生映像（動画像）がホーム画面２００に表示される。
【００２２】
放送画像２１０以外の画像のそれぞれは、本実施の形態では、アプリ画像２２０である。アプリ画像２２０とは、例えば放送画像出力装置１１０が実行可能なアプリケーションプログラム（以下「アプリ（ａｐｐ（ｓ））」ともいう。）に対応付けられた画像である。
【００２３】
つまり、アプリ画像２２０は、アプリが実行されることで表示される画像、アプリの起動のためのアイコン、アプリに処理されるデータに対応するアイコン、または、所定のＷｅｂサイトに対応するアイコン（Ｗｅｂクリップアイコン）などである。
【００２４】
例えば、図１に示すホーム画面２００では、比較的大きな１つの放送画像２１０と、７つのアプリ画像２２０とが配置されている。
【００２５】
なお、複数のアプリ画像２２０および、これらアプリ画像２２０のそれぞれに対応付けられたアプリは、例えば記憶部１１７に格納されており、各アプリは、制御部１１６に読み出されて実行される。
【００２６】
また、記憶部１１７には、放送画像２１０を表示するためのアプリケーションプログラムも格納されており、制御部１１６が当該アプリケーションプログラムを実行することで放送画像２１０の表示、ならびに、放送画像２１０の拡大および縮小等の処理が実行される。
【００２７】
また、これら放送画像２１０およびアプリ画像２２０のそれぞれは、使用者の操作（本実施の形態ではリモコン１７０を用いた操作）による選択が可能である。
【００２８】
例えば、放送画像２１０が選択され、リモコン１７０の決定キーが押下された場合、放送画像２１０は拡大され、例えばディスプレイ１５０の表示領域の全体を用いて表示される。つまり、放送画像２１０は全画面表示される。
【００２９】
また、アプリ画像２２０が選択され、リモコン１７０の決定キーが押下された場合、例えば、当該アプリ画像２２０に対応付けられたアプリが実行され、当該アプリの処理結果等を示す画像が全画面表示される。
【００３０】
放送画像出力装置１１０の動作およびホーム画面２００の詳細等については、図３〜図１５を用いて後述する。
【００３１】
制御部１１６は、予め設定された設定情報に従って複数のホーム画面２００のいずれかを選択する。制御部１１６はさらに、選択したホーム画面２００を、放送画像出力装置１１０の電源がオンにされた後の初期画面であって、使用者の操作を受け付けることのできる初期画面として、出力部１１４に出力させる。
【００３２】
制御部１１６がホーム画面２００の選択の際に参照する設定情報は、例えば記憶部１１７に記憶されている。
【００３３】
なお、制御部１１６は、例えば、ＣＰＵ（Ｃｅｎｔｒａｌ  Ｐｒｏｃｅｓｓｉｎｇ  Ｕｎｉｔ）等のプロセッサによって実現される。
【００３４】
記憶部１１７は、上述の設定情報等の各種情報を記憶する記憶装置である。なお、記憶部１１７は、放送画像出力装置１１０に備えられていなくてもよい。例えば放送画像出力装置１１０の外部のＨＤＤ（Ｈａｒｄ  Ｄｉｓｋ  Ｄｒｉｖｅ）またはフラッシュメモリ等の半導体メモリが、記憶部１１７として扱われてもよい。
【００３５】
また、放送画像出力装置１１０の内部または外部に備えられたＲＡＭ（Ｒａｎｄｏｍ  Ａｃｃｅｓｓ  Ｍｅｍｏｒｙ）等のメモリが、記憶部１１７として扱われてもよい。
【００３６】
このように、本実施の形態のテレビ１００は、放送画像出力装置１１０を備え、放送画像出力装置１１０は、複数のホーム画面２００のうちの１つのホーム画面２００を、初期画面として出力する。
【００３７】
つまり、簡単に言うと、テレビ１００の電源がオンにされた場合、互いに異なる種類の複数のホーム画面２００のうちの１つのホーム画面２００が、初期画面として表示される。
【００３８】
なお、「互いに異なる種類の複数のホーム画面２００」とは、表示される画像の種類、レイアウト、または個数などが互いに異なる複数のホーム画面２００のことを意味する。
【００３９】
［１−２．基本動作］
次に、図３を用いて、実施の形態における放送画像出力装置１１０の動作について説明する。
【００４０】
図３は、実施の形態における放送画像出力装置１１０の基本的な動作の流れを示すフロー図である。
【００４１】
制御部１１６は、放送画像出力装置１１０の電源がオンにされた場合（Ｓ１）、複数のホーム画面２００の中から、設定情報に示される１つのホーム画面２００を選択する（Ｓ２）。
【００４２】
出力部１１４は、制御部１１６による制御に従って、制御部１１６によって選択されたホーム画面２００を出力する（Ｓ３）。
【００４３】
つまり、制御部１１６は、複数のホーム画面２００の中から選択したホーム画面２００を、電源オン後の初期画面として、出力部１１４に出力させる。
【００４４】
具体的には、テレビ１００の電源が使用者によってオンにされることで、放送画像出力装置１１０の電源がオンにされ、その結果、制御部１１６によって選択されたホーム画面２００が、ディスプレイ１５０に表示される。
【００４５】
［１−３．ホーム画面］
次に、図４〜図５Ｃを用いて、ホーム画面２００の詳細について説明する。
【００４６】
図４は、実施の形態におけるホーム画面２００の基本構成の一例を示す図である。
【００４７】
実施の形態におけるホーム画面２００では、表示領域が複数の部分に区分されている。
【００４８】
例えば、図４に示すように、ホーム画面２００における表示領域が、縦４列、横４列の矩形領域２０１に区分されている。放送画像２１０およびアプリ画像２２０のそれぞれは、連続する１以上の矩形領域２０１で形成される領域に表示される。
【００４９】
つまり、ホーム画面２００では、表示領域の部分ごとに、放送画像２１０およびアプリ画像２２０のいずれか一方が配置可能である。
【００５０】
図４に示す例の場合、放送画像２１０は、縦３列、横３列（３×３）の矩形領域２０１で形成される領域に表示されている。
【００５１】
なお、隣接する矩形領域２０１の間には、背景画像が表示される空隙領域が存在する。しかし、複数の矩形領域２０１にまたがって放送画像２１０またはアプリ画像２２０が表示される場合、当該複数の矩形領域２０１において隣接する矩形領域２０１の間の空隙領域は、放送画像２１０またはアプリ画像２２０の表示のための領域として使用される。
【００５２】
また、ホーム画面２００における、複数の矩形領域２０１の、放送画像２１０またはアプリ画像２２０への割り当てを示す情報（画面レイアウト情報）は、例えば、記憶部１１７に記憶されている。
【００５３】
また、一旦登録された、ホーム画面２００の変更、つまり、画面レイアウト情報の更新は可能であり、新たなホーム画面２００の追加も可能である。ホーム画面２００のレイアウト変更および追加については、図１３〜図１５を用いて後述する。
【００５４】
以下、このようなホーム画面２００の３つの例を、図５Ａ〜図５Ｃを用いて説明する。
【００５５】
なお、図５Ａ〜図５Ｃに示す各ホーム画面２００は、例えば、テレビ１００の工場出荷時に設定される。
【００５６】
図５Ａは、実施の形態におけるホーム画面２００の第１の例を示す図である。
【００５７】
図５Ａに示すホーム画面２００は、例えば「くらしのホーム」と名付けられたホーム画面２００であり、以下、「くらしのホーム２００ａ」と表記する。
【００５８】
くらしのホーム２００ａは、例えば使用者の一般的な日常生活に必要な情報を効率よく使用者に提供するホーム画面２００である。
【００５９】
図５Ａに示す例では、くらしのホーム２００ａには、放送画像２１０に加えて、時計２２１、天気予報２２２、タイマー２２３、写真２２４、カレンダー２２５、メモ２２６、および、広告２２７の、各アプリ画像２２０が表示されている。
【００６０】
時計２２１は、時刻を表示する時計アプリの画像である。天気予報２２２は、例えば、インターネット経由で取得した天気予報情報を表示する天気予報アプリの画像である。
【００６１】
なお、「アプリの画像」とは、上述のように、当該アプリを実行することで得られる画像または、当該アプリの起動のためのアイコン等の、当該アプリと対応付けられた画像である。
【００６２】
タイマー２２３は、所定の操作により計時を開始するタイマーアプリの画像である。写真２２４は、例えば使用者の所定の操作によって記憶部１１７に格納された写真データを表示する写真アプリの画像である。
【００６３】
カレンダー２２５は、例えば、日ごとの予定等の情報を登録可能なカレンダーアプリの画像である。
【００６４】
メモ２２６は、例えば、使用者の所定の操作により入力されたテキスト情報を蓄積および表示するメモアプリの画像である。広告２２７は、例えば、インターネット経由で放送画像出力装置１１０が取得した広告画像を表示する広告アプリの画像である。
【００６５】
これらアプリ画像２２０のそれぞれは、静止画、または、少なくとも一部に動画を含む画像である。
【００６６】
例えば、時計２２１は、制御部１１６が時計アプリを実行することで生成される時計の動画を含む画像である。
【００６７】
図５Ｂは、実施の形態におけるホーム画面２００の第２の例を示す図である。
【００６８】
図５Ｂに示すホーム画面２００は、例えば「テレビのホーム」と名付けられたホーム画面２００であり、以下、「テレビのホーム２００ｂ」と表記する。
【００６９】
テレビのホーム２００ｂは、例えば複数の放送番組に関する情報を効率よく使用者に提供するホーム画面２００である。
【００７０】
図５Ｂに示す例では、テレビのホーム２００ｂには、放送画像２１０に加えて、裏番組２２８、録画一覧２３０、予約一覧２３１、および、広告２２７の、各アプリ画像２２０が表示されている。
【００７１】
裏番組２２８は、放送画像２１０として表示されている放送番組以外の現在放送中の放送番組に関する情報を表示する裏番組アプリの画像である。
【００７２】
例えば、放送画像２１０として５チャンネル（ｃｈ．５）の放送番組が表示されている場合、ｃｈ．５以外の各チャンネルの放送番組に関する情報（放送局名、番組名、および放送番組を構成する動画から取得された１つの静止画など）が、裏番組２２８に表示される。
【００７３】
なお、テレビ１００は、２つのチューナ（第１、第２チューナ）を備えている。例えば、第１チューナが、放送画像２１０として表示する放送番組を受信し、第２チューナが、裏番組２２８に表示すべき各チャンネルをスキャンする。これにより、裏番組２２８に、静止画等の各チャンネルの放送番組に関する情報が表示される。
【００７４】
また、テレビ１００はさらに、第３チューナを備えてもよい。この場合、例えば、使用者のリモコン１７０の操作によって、ある静止画にフォーカス２６０（図５Ｂにおける太線の枠）が当てられた場合、つまり、当該静止画が選択された場合、第３チューナによって受信された、当該静止画に対応する放送番組（動画）を裏番組２２８内で表示することができる。
【００７５】
すなわち、放送画像出力装置１１０の制御部１１６は、出力部１１４を制御することで、裏番組２２８内の、フォーカス２６０が当てられた静止画を、当該静止画に対応する放送番組の動画に置き換えたテレビのホーム２００ｂを出力する。
【００７６】
なお、この場合、例えば決定キー１７２が押下されることで、裏番組２２８内において表示されている上記放送番組の動画と、放送画像２１０として表示されている放送番組の動画とが入れ替える等の制御も可能である。
【００７７】
録画一覧２３０は、例えばテレビ１００に接続されたビデオレコーダに録画された放送番組の一覧を表示する録画一覧アプリの画像である。例えば、放送画像出力装置１１０が、当該ビデオレコーダから、録画された放送番組の一覧を示す一覧情報を取得し、当該一覧情報を録画一覧アプリで処理することで、録画一覧２３０が得られる。
【００７８】
予約一覧２３１は、例えばテレビ１００に接続されたビデオレコーダに録画予約された放送番組の一覧を表示する予約一覧アプリの画像である。例えば、放送画像出力装置１１０が、当該ビデオレコーダから、録画予約された放送番組の一覧を示す予約情報を取得し、当該予約情報を予約一覧アプリで処理することで、予約一覧２３１が得られる。
【００７９】
図５Ｃは、実施の形態におけるホーム画面２００の第３の例を示す図である。
【００８０】
図５Ｃに示すホーム画面２００は、例えば「ネットのホーム」と名付けられたホーム画面２００であり、以下、「ネットのホーム２００ｃ」と表記する。
【００８１】
ネットのホーム２００ｃは、例えば、インターネットを介して取得可能な各種の情報を効率よく使用者に提供するホーム画面２００である。
【００８２】
図５Ｃに示す例では、ネットのホーム２００ｃには、放送画像２１０に加えて、ブックマークブラウザ２４０、ＲＳＳリーダ２４５、時計２２１、メモ２２６、および、広告２２７の、各アプリ画像２２０が表示されている。
【００８３】
ブックマークブラウザ２４０は、ブックマークとして登録された１以上のＵＲＬ（Ｕｎｉｆｏｒｍ  Ｒｅｓｏｕｒｃｅ  Ｌｏｃａｔｏｒ）のそれぞれから取得されるＷｅｂサイトのデータを表示するブラウザアプリの画像である。
【００８４】
制御部１１６は、例えばネットのホーム２００ｃをディスプレイ１５０に表示すべき指示を出力部１１４に行ったことをトリガとして、上述のＷｅｂサイトのデータの取得を開始する。
【００８５】
ＲＳＳリーダ２４５は、指定されたサイトのＲＳＳ（ＲＤＦ  Ｓｉｔｅ  Ｓｕｍｍａｒｙ／Ｒｉｃｈ  Ｓｉｔｅ  Ｓｕｍｍａｒｙ／Ｒｅａｌｌｙ  Ｓｉｍｐｌｅ  Ｓｙｎｄｉｃａｔｉｏｎ）情報を一定時間ごとに自動的にダウンロードし、更新があると記事へのリンクを表示するＲＳＳリーダアプリの画像である。
【００８６】
出力部１１４は、制御部１１６が取得したＷｅｂサイトのデータおよびＲＳＳ情報を用いて、ブックマークブラウザ２４０およびＲＳＳリーダ２４５を含む、ネットのホーム２００ｃを生成し、ディスプレイ１５０に出力する。
【００８７】
なお、ブックマークとして登録された１以上のＵＲＬ、および、ＲＳＳ情報の取得先である１以上のＵＲＬは、例えば、記憶部１１７に記憶されている。また、これらＵＲＬは、放送画像出力装置１１０がネットのホーム２００ｃを出力する際に、例えばインターネットに接続されたサーバから取得されてもよい。
【００８８】
ここで、ブックマークブラウザ２４０およびＲＳＳリーダ２４５は、時計２２１等の他のアプリ画像２２０とは異なり、複数の矩形領域２０１（図４参照）を使用して表示されている。
【００８９】
具体的には、ブックマークブラウザ２４０は縦２列、横２列（２×２）の矩形領域２０１を使用して表示され、ＲＳＳリーダ２４５は、縦１列、横２列（１×２）の矩形領域２０１を使用して表示されている。
【００９０】
本実施の形態の放送画像出力装置１１０は、上述の各ホーム画面２００を含む、複数のホーム画面２００のそれぞれを出力することができる。
【００９１】
各ホーム画面２００に配置された放送画像２１０およびアプリ画像２２０のそれぞれは、使用者により選択され、かつ、決定されること（本実施の形態では、リモコン１７０の決定キーが押下されること、以下同じ）により、全画面表示に変更されるなどの処理が実行される。
【００９２】
そこで、放送画像２１０およびアプリ画像２２０が選択され決定された場合の動作例を図６〜図７Ｂを用いて説明する。
【００９３】
［１−４．ホーム画面での選択後の動作］
図６は、実施の形態のホーム画面２００において放送画像２１０が選択されている状態を示す図である。
【００９４】
図７Ａは、実施の形態のテレビ１００において放送画像２１０が全画面表示されている状態を示す図である。
【００９５】
図７Ｂは、実施の形態のテレビ１００においてアプリの設定のための画面が全画面表示されている状態を示す図である。
【００９６】
例えば、ホーム画面２００（図６では、くらしのホーム２００ａ）において、放送画像２１０にフォーカス２６０が当てられている場合、つまり、放送画像２１０が選択されている場合を想定する。
【００９７】
この状態において、リモコン１７０の決定キー１７２が押下されることで、放送画像出力装置１１０の制御部１１６は、使用者の操作による、放送画像２１０に対する所定の指示を受け付ける。
【００９８】
その結果、図７Ａに示すように、放送画像２１０は拡大され、その結果、ディスプレイ１５０において全画面表示される。つまり、放送画像２１０を拡大することで得られる拡大放送画面２１０ａが出力部１１４から出力される。
【００９９】
また、アプリ画像２２０がユーザの操作により選択され、決定された場合、制御部１１６は、当該アプリ画像２２０に応じた処理を実行する。
【０１００】
例えば、図６に示す、くらしのホーム２００ａにおいて、時計２２１にフォーカス２６０が移動されて決定キー１７２が押下された場合を想定する。
【０１０１】
この場合、制御部１１６は、出力部１１４に、時計２２１に対応付けられた時計アプリの設定のための画面を出力させる。その結果、図７Ｂに示すように、ディスプレイ１５０では、ホーム画面２００（くらしのホーム２００ａ）に代えて、アプリ画面２２０ａが、全画面表示される。
【０１０２】
図７Ｂに示すアプリ画面２２０ａにおいて、“設定へ”と表示されたキーが選択され決定されることで、ディスプレイ１５０の表示は、例えば、テレビ１００が設置されている地域の設定、および、表示スタイルの設定等を受け付ける設定画面に遷移する。
【０１０３】
なお、図７Ｂに示されるアプリ画面２２０ａは、アプリ画像２２０の一種である時計２２１に対する所定の指示がなされた場合に表示される画面の一例である。つまり、選択されたアプリ画像２２０に対応付けられたアプリによって、決定キー１７２が押下された場合の処理内容は異なる。
【０１０４】
例えば、単にアプリ画像２２０の拡大表示のみが実行される場合、当該アプリの主機能を示すアプリ画面２２０ａが表示される場合、および、アプリ画像２２０の表示が維持される場合（つまり、決定キー１７２が押下されても、選択されたアプリ画像２２０に変化がない場合）などがある。
【０１０５】
また、リモコン１７０は、例えば図６に示すように、Ｈｏｍｅキー１７３およびＡｐｐｓキー１７４を有する。Ｈｏｍｅキー１７３は、ホーム画面２００の表示のためのキーであり、Ａｐｐｓキー１７４は、アプリ一覧画面の表示のためのキーである。
【０１０６】
つまり、テレビ１００は、使用者の操作による指示に応じて、表示画面を遷移させる。
【０１０７】
［１−５．表示画面の遷移］
テレビ１００における、表示画面の遷移の例について、図８〜図１０を用いて説明する。
【０１０８】
図８は、実施の形態のテレビ１００における表示画面の遷移の例を示す第１の図である。
【０１０９】
実施の形態のテレビ１００では、電源がオンにされた場合、放送画像出力装置１１０の制御部１１６は、予め設定された設定情報１２０に従って、複数のホーム画面２００のいずれかを選択する。
【０１１０】
例えば、くらしのホーム２００ａが選択された場合、くらしのホーム２００ａが、使用者の操作を受け付けることのできる初期画面として、出力部１１４から出力され、ディスプレイ１５０に表示される。
【０１１１】
その後、上述のように、放送画像２１０またはアプリ画像２２０が選択され決定された場合、拡大放送画面２１０ａまたはアプリ画面２２０ａが、ディスプレイ１５０に全画面表示される。
【０１１２】
この状態において、Ｈｏｍｅキー１７３が押下された場合、制御部１１６の制御に従って、出力部１１４は、くらしのホーム２００ａを出力する。つまり、ディスプレイ１５０の表示が、拡大放送画面２１０ａまたはアプリ画面２２０ａの全画面表示から、くらしのホーム２００ａへの表示の切り替えが行われる。
【０１１３】
なお、Ｈｏｍｅキー１７３ではなく、戻るキーまたはＥｘｉｔキー（図示せず）等の他のキーで、上記表示の切り替えを行うこともできる。
【０１１４】
また、テレビ１００では、使用者からのホーム切替指示に応じたホーム画面２００の切り替えも実行される。
【０１１５】
例えば、くらしのホーム２００ａがディスプレイ１５０に表示されている場合、使用者による所定の操作により、他のホーム画面２００である、テレビのホーム２００ｂまたはネットのホーム２００ｃがディスプレイ１５０に表示される。
【０１１６】
なお、放送番組２０６は、所定のチャンネルの放送番組が全画面表示される画面であるが、ホーム画面２００の一種として扱うこともできる。
【０１１７】
また、新規ホーム追加２０５は、新たなホーム画面２００を作成するための画面であり、テンプレートの選択等を行う画面であるが、ホーム画面２００の一種として扱うこともできる。新規ホーム追加２０５が選択された場合の動作例については、図１５を用いて後述する。
【０１１８】
ここで、使用者によるホーム画面２００の切り替え指示（ホーム切替指示）は、本実施の形態では、ホーム切替画面において受け付けられる。
【０１１９】
図９は、実施の形態におけるホーム切替画面３００の一例を示す図である。
【０１２０】
図９に示すホーム切替画面３００は、本実施の形態では、くらしのホーム２００ａ等のホーム画面２００がディスプレイ１５０に表示されている状態において、例えばＨｏｍｅキー１７３が押下された場合に表示される。
【０１２１】
図９に示すように、ホーム切替画面３００には複数のホーム画面２００が表示されている。具体的には、ホーム切替画面３００では、表示された３つのホーム画面２００のうちの中央のホーム画面２００が選択された状態にある。
【０１２２】
また、使用者が、リモコン１７０の十字キー１７１を操作することで、横方向に並べられた複数のホーム画面２００が左右にスクロールする。これにより、選択された状態に置かれるホーム画面２００が順次変更される。
【０１２３】
さらに、決定キー１７２が押下されると、その時点で選択されているホーム画面２００がディスプレイ１５０に全画面表示される。例えば、図９に示す状態において、決定キー１７２が押下されると、ディスプレイ１５０の表示は、ホーム切替画面３００から、くらしのホーム２００ａに切り替わる。
【０１２４】
なお、ホーム切替画面３００には、複数のホーム画面２００の全てが表示されなくてもよい。
【０１２５】
つまり、ホーム切替画面３００には、複数のホーム画面２００のうちの少なくとも２つのホーム画面２００それぞれの少なくとも一部が表示されればよい。これにより、使用者は、ホーム切替画面３００において、ディスプレイ１５０に表示させるべきホーム画面２００の選択が可能である。
【０１２６】
図１０は、実施の形態のテレビ１００における表示画面の遷移の例を示す第２の図である。
【０１２７】
なお、図１０において、“決定”は、決定キー１７２に対応し、“Ｈｏｍｅ”は、Ｈｏｍｅキー１７３に対応し、“Ａｐｐｓ”は、Ａｐｐｓキー１７４に対応する。
【０１２８】
例えば、ディスプレイ１５０にホーム切替画面３００が表示されている状態において、リモコン１７０の決定キー１７２が押下された場合、ホーム切替画面３００で選択されていたホーム画面２００がディスプレイ１５０に表示される。
【０１２９】
また、ディスプレイ１５０にホーム切替画面３００が表示されている状態において、リモコン１７０のＨｏｍｅキー１７３が押下された場合、例えば、ホーム切替画面３００が表示される前に表示されていたホーム画面２００がディスプレイ１５０に表示される。
【０１３０】
また、例えば、ディスプレイ１５０にホーム画面２００が表示されている状態において、リモコン１７０のＡｐｐｓキー１７４が押下された場合、ディスプレイ１５０に、アプリ一覧画面が表示される。
【０１３１】
なお、アプリ一覧画面の表示例は図示していないが、例えば、放送画像出力装置１１０が、Ａｐｐｓキー１７４が押下された時点で実行可能なアプリの一覧が表示される。また、使用者によるリモコン１７０の操作によりアプリが選択され、決定キー１７２が押下されると、選択されたアプリに対応するアプリ画面２２０ａが全画面表示される。
【０１３２】
このように、本実施の形態のテレビ１００では、放送画像出力装置１１０が、使用者によるリモコン１７０の操作に応じて、ディスプレイ１５０に表示する画面を変更することができる。
【０１３３】
また、放送画像出力装置１１０はさらに、初期画面として表示すべきホーム画面２００の設定および変更等を受け付けることができる。
【０１３４】
［１−６．ホーム画面のボタン］
図１１は、実施の形態におけるホーム画面２００の各種設定等のためのボタンの表示例を示す図である。
【０１３５】
例えば、ホーム画面２００の上端部にフォーカス２６０が当てられた場合、制御部１１６は、出力部１１４を制御することで、図１１に示すようなボタン群を当該上端部に表示させる。
【０１３６】
図１１に示す例では、ホーム切替ボタン２５０、ホーム設定ボタン２５１、アプリ編集ボタン２５２、および検索ボタン２５３が表示されている。
【０１３７】
なお、いずれのボタンも、例えばリモコン１７０の十字キー１７１の操作で選択が可能であり、決定キー１７２の押下によって、選択されたボタンが押下される。
【０１３８】
また、各ボタンに対応付けられた、リモコン１７０の“青”、“赤”、“緑”、“黄”のいずれかのキーの押下によっても、各ボタンが押下される。
【０１３９】
また、制御部１１６の制御により、出力部１１４から、押下されたボタンに対応する画面がディスプレイ１５０に出力される。
【０１４０】
具体的には、ホーム切替ボタン２５０が押下された場合、リモコン１７０のＨｏｍｅキー１７３が押下された場合と同じく、ホーム切替画面３００がディスプレイ１５０に表示される。
【０１４１】
ホーム設定ボタン２５１が押下された場合、ホーム画面２００についての設定のためのホーム設定画面が表示される。
【０１４２】
例えば、電源オン後の初期画面として表示されるホーム画面２００を使用者が選択することのできる画面が表示される。初期画面の設定については図１２を用いて後述する。
【０１４３】
アプリ編集ボタン２５２が押下された場合、その時点でディスプレイ１５０に表示されているホーム画面２００についての、アプリ画像２２０の追加および削除等を行う画面が表示される。つまり、当該ホーム画面２００と対応付けられたアプリを編集するための画面がディスプレイ１５０に表示される。アプリの編集については、図１３および図１４を用いて後述する。
【０１４４】
検索ボタン２５３が押下された場合、例えば、記憶部１１７、テレビ１００に接続されたビデオレコーダ等の装置、およびインターネットを介して通信可能なサーバ等を検索対象とする検索画面が表示される。
【０１４５】
図１２は、実施の形態における初期画面の選択肢の例を示す図である。
【０１４６】
使用者は、例えば、図１２に示す３つの選択肢の中から１つを選択することで、設定情報１２０を更新することができる。
【０１４７】
例えば、使用者が“最後に表示したホーム”を選択した場合、その後にテレビ１００の電源がオフにされた時点において、出力部１１４が最後に出力したホーム画面２００である最終ホーム画面が、初期画面として設定情報１２０に登録される。
【０１４８】
その結果、その後にテレビ１００の電源がオンにされた場合（つまり、放送画像出力装置１１０の電源がオンにされた場合、以下同じ）、制御部１１６は、設定情報１２０に従って、上記の最終ホーム画面を選択し、初期画面として出力部１１４に出力させる。
【０１４９】
また、使用者が“固定”を選択した場合、使用者は、複数のホーム画面２００の中から１つのホーム画面を指定することができ、指定されたホーム画面２００が、初期画面として設定情報１２０に登録される。
【０１５０】
その結果、その後にテレビ１００の電源がオンにされた場合、制御部１１６は、設定情報１２０に従って、常に、上記の使用者に指定されたホーム画面２００を選択し、初期画面として出力部１１４に出力させる。
【０１５１】
また、使用者が“ユーザ識別”を選択した場合、使用者は、複数のホーム画面２００の中から自身に対応する１つのホーム画面を指定することができ、指定されたホーム画面２００が、初期画面として設定情報１２０に登録される。
【０１５２】
その結果、その後にテレビ１００の電源がオンにされた場合、制御部１１６は、例えば、テレビ１００に備えられたカメラを用いた顔認識により使用者を識別する。制御部１１６はさらに、設定情報１２０に示される、識別された使用者に対応するホーム画面２００を選択し、初期画面として出力部１１４に出力させる。
【０１５３】
なお、顔認識ができなかった場合、制御部１１６は、例えば、上述の最終ホーム画面を初期画面として出力部１１４に表示させる。
【０１５４】
なお、上述のような、使用者の識別結果に応じて初期画面としてのホーム画面２００を選択する態様については、図１６および図１７を用いて後述する。
【０１５５】
また、ホーム画面２００についての設定項目としては、上述の初期画面の設定の他に、ホーム画面の名前の設定および変更、ならびに、背景画像の設定および変更などが例示される。
【０１５６】
このように、制御部１１６は、使用者からの指示に従って設定情報１２０を更新することができ、さらに、更新後の設定情報１２０に従って、初期画面としてのホーム画面２００の選択を行うことができる。
【０１５７】
なお、使用者が設定情報１２０を更新する前の初期状態では、設定情報１２０には、例えば、“最後に表示したホーム”が登録されている。また、例えば、テレビ１００の最初の電源オン後の、テレビ１００の初期設定の際に、使用者からの指示に応じて設定情報１２０の更新が行われる。
【０１５８】
図１３は、実施の形態におけるアプリの編集のための画面の第１の例を示す図である。
【０１５９】
図１４は、実施の形態におけるアプリの編集のための画面の第２の例を示す図である。
【０１６０】
例えばくらしのホーム２００ａがディスプレイ１５０に表示されている状態において、図１１に示すアプリ編集ボタン２５２が押下された場合、図１３に示すくらしのホーム２００ａがディスプレイ１５０に表示される。
【０１６１】
具体的には、図１３に示すように、くらしのホーム２００ａにおいて、削除および移動の少なくとも一方が可能なアプリ画像２２０の周囲が点線で囲まれるなど、これらアプリ画像２２０が、通常とは異なる態様で表示される。
【０１６２】
この状態において、例えば、メモ２２６にフォーカス２６０が当てられた場合、図１３に示すように、“移動”および“削除”の選択肢が表示される。つまり、放送画像出力装置１１０の制御部１１６は、出力部１１４を制御することで、選択された（フォーカス２６０が当てられた）メモ２２６についての編集のための画像を、くらしのホーム２００ａに重畳させる。
【０１６３】
この場合、使用者が、リモコン１７０の操作によって“削除”を選択し決定した場合、図１４に示すように、くらしのホーム２００ａからメモ２２６が削除される。
【０１６４】
この状態において、メモ２２６が削除されることで生じた空の矩形領域２０１である空領域２０２にフォーカス２６０が当てられ、決定キー１７２が押下された場合、図１４に示すように、空領域２０２に配置可能なアプリの選択肢が表示される。
【０１６５】
つまり、放送画像出力装置１１０の制御部１１６は、出力部１１４を制御することで、空領域２０２に配置するアプリの選択のための画像を、くらしのホーム２００ａに重畳させる。
【０１６６】
具体的には、図１４に示すように、アプリのリストがくらしのホーム２００ａに重畳されて表示される。当該リストでは、くらしのホーム２００ａに配置済みのアプリにはチェックボックスがチェックされており、くらしのホーム２００ａに未配置のアプリのチェックボックスはチェックされていない。
【０１６７】
図１４に示す例の場合、使用者によって、“ＮｅｗＡＰＰ”と名付けられたアプリのチェックボックスがチェックされることで、制御部１１６は、ＮｅｗＡＰＰのアプリ画像２２０を配置すべき旨の指示を受け付ける。
【０１６８】
制御部１１６はさらに、出力部１１４を制御することで、ＮｅｗＡＰＰのアプリ画像２２０を空領域２０２に配置させる。つまり、くらしのホーム２００ａに、新たなアプリ“ＮｅｗＡＰＰ”が追加される。
【０１６９】
なお、図１３において、使用者が、リモコン１７０の操作によって“移動”を選択し決定した場合、使用者はさらに、移動先となる既存のアプリ画像２２０を選択し決定する。その結果、当該アプリ画像２２０と、“移動”の対象であるメモ２２６とが入れ替わる。
【０１７０】
このように、本実施の形態のテレビ１００では、放送画像出力装置１１０によって、ホーム画面２００に配置されたアプリの編集が実行される。
【０１７１】
［１−７．ホーム画面の追加］
本実施の形態の放送画像出力装置１１０は、既存のホーム画面２００についての編集処理に加えて、上述のように、新たなホーム画面２００の作成も実行することができる。
【０１７２】
放送画像出力装置１１０は、例えば、新たなホーム画面２００の作成のための複数のテンプレートを出力部１１４に出力させる。これにより、使用者に容易に新たなホーム画面２００の作成を行わせることができる。
【０１７３】
図１５は、実施の形態におけるテンプレート選択画面２０７の一例を示す図である。
【０１７４】
テンプレート選択画面２０７は、制御部１１６が、例えば記憶部１１７から複数のテンプレートそれぞれを示すテンプレート情報を読み出し、出力部１１４を制御することで、ディスプレイ１５０に表示される。
【０１７５】
図１５に示すテンプレート選択画面２０７では、Ａ〜Ｆの６つのテンプレートが示されている。なお、各テンプレートにおける“ＴＶ”は、放送画像２１０を配置することが可能な領域を示し、“ａｐｐ”は、アプリ画像２２０を配置することが可能な領域を示している。
【０１７６】
また、テンプレート選択画面２０７は、図９に示すホーム切替画面３００で、新規ホーム追加２０５が選択され決定されることで、ディスプレイ１５０に表示される。
【０１７７】
使用者は、リモコン１７０を操作することで、テンプレート選択画面２０７に示される複数のテンプレートの中から１つを選択し、決定する。これにより、例えば図４に示すような、選択されたテンプレートに放送画像２１０のみが配置されたホーム画面２００が表示される。
【０１７８】
その後、例えば図１４に示すような、当該ホーム画面２００に配置するアプリを選択するリストが当該ホーム画面２００に重畳されて表示され、使用者によるリモコン１７０の操作により選択された１以上のアプリが当該ホーム画面２００に配置される。
【０１７９】
また、当該ホーム画面２００の名前の設定等の、新たなホーム画面２００の作成に必要な処理も実行される。
【０１８０】
このようにして作成されたホーム画面２００に対応する画面レイアウト情報は、例えば記憶部１１７に格納され、その後に、当該ホーム画面２００をディスプレイ１５０に表示する際に、制御部１１６および出力部１１４に参照される。
【０１８１】
なお、テンプレート選択画面２０７は、複数のテンプレートの中から新たなホーム画面２００の作成に用いるテンプレートを使用者に選択させるための画面の一例であり、他の表示態様が採用されてもよい。
【０１８２】
例えば、複数のテンプレートを、図９に示すホーム切替画面３００のように横方向に並べ、左右にスクロールさせることで、新たなホーム画面２００の作成に用いるテンプレートを選択させてもよい。
【０１８３】
［１−８．使用者の識別によるホーム画面選択］
本実施の形態の放送画像出力装置１１０は、上述のように、使用者の識別結果に応じて、初期画面として表示されるホーム画面２００を選択することができる。
【０１８４】
図１６は、実施の形態における顔認識を説明するための図である。
【０１８５】
図１７は、実施の形態における顔認識機能を有するテレビ１００の基本的な機能構成を示すブロック図である。
【０１８６】
例えば、図１６に示すように、テレビ１００の中央上部にカメラ１６０を配置する。なおカメラ１６０は、テレビ１００に内蔵される必要はなく、外付けの撮像装置としてテレビ１００と接続されていてもよい。
【０１８７】
また、例えば、テレビ１００を使用したテレビ会議またはテレビ電話等の用途に用いられる撮像装置を、顔認識に用いられるカメラ１６０として用いてもよい。
【０１８８】
また、図１７に示す放送画像出力装置１１０は、識別部１１８を備える。識別部１１８は、使用者の身体的特徴を示す特徴情報を取得し、取得した特徴情報に従って使用者を識別する。本実施の形態では、カメラ１６０から得られる画像データと、使用者の顔の画像データ（顔データ）とを用いて使用者を識別する。
【０１８９】
例えば、使用者ＡＡが、予めカメラ１６０を用いて自身の顔を撮像することで得られる顔データを制御部１１６が取得し、記憶部１１７に記憶させておく。
【０１９０】
また、制御部１１６は、使用者ＡＡの指示に応じて、当該顔データと複数のホーム画面２００のうちのいずれか１つとを対応付ける使用者−ホーム対応情報を生成し、記憶部１１７に記憶させておく。
【０１９１】
その後、テレビ１００の電源がオンにされ、かつ、設定情報１２０が“ユーザ識別”を示す場合、放送画像出力装置１１０の制御部１１６は、記憶部１１７に格納されている顔データおよび使用者−ホーム対応情報を読み出し、識別部１１８に送信する。
【０１９２】
識別部１１８は、テレビ１００の電源がオンにされた時点でカメラ１６０によって撮像された画像データを取得する。識別部１１８はさらに、取得した画像データに示される画像において人物の顔と推定される領域を特定し、特定した領域の画像データと制御部１１６から受け取った顔データとを比較する。つまり、制御部１１６は、カメラ１６０によって撮像された画像に、当該顔データに示される人物の顔が含まれているか否かを判断する。
【０１９３】
この判断によって、顔認識が成功した場合、つまり、制御部１１６が、カメラ１６０によって撮像された画像に当該顔データに示される人物の顔が含まれていると判断した場合、使用者−ホーム対応情報に示される、当該人物（使用者ＡＡ）に対応するホーム画面２００を特定する。
【０１９４】
制御部１１６はさらに、特定したホーム画面２００を出力部１１４に出力させる。
【０１９５】
このようにして、複数のホーム画面２００の中から、テレビ１００の使用者ＡＡに対応付けられたホーム画面２００が自動的に選択され、ディスプレイ１５０に表示される。
【０１９６】
なお、上述の動作例では、１人の使用者（使用者ＡＡ）に対する顔認識について説明したが、１台のテレビ１００に、複数の使用者を登録しておくことが可能である。つまり、テレビ１００は、複数の使用者のそれぞれに応じた、ホーム画面２００の選択的な出力が可能である。
【０１９７】
また、テレビ１００の電源がオンにされた際にカメラ１６０が撮像した画像に、複数の人物の顔が含まれている場合、識別部１１８は、例えば、画像の中心にもっとも近い顔を、顔認識の対象として特定する。また、特定した顔についての認識が失敗した場合、識別部１１８は、例えば、画像の中心に近い順に、残りの顔についての認識処理を実行する。
【０１９８】
［１−９．効果等］
以上のように、本実施の形態において、テレビ１００は、放送画像出力装置１１０と、放送画像出力装置１１０から出力される画像を表示するディスプレイ１５０とを備える。
【０１９９】
また、本実施の形態において、放送画像出力装置１１０は、放送を受信する受信部１１２と、複数のホーム画面２００のそれぞれを出力する出力部１１４と、制御部１１６とを備える。
【０２００】
複数のホーム画面のそれぞれには、表示領域の部分毎に、使用者の操作による選択が可能な、受信部１１２により受信した放送に関する放送画像２１０、および、放送画像以外の画像（本実施の形態ではアプリ画像２２０）のいずれか一方が配置可能である。
【０２０１】
また、制御部１１６は、予め設定された設定情報１２０に従って複数のホーム画面２００のいずれかを選択する。制御部１１６はさらに、選択したホーム画面２００を、放送画像出力装置１１０の電源がオンにされた後の初期画面であって、使用者の操作を受け付けることのできる初期画面として、出力部１１４に出力させる。
【０２０２】
これにより、放送画像出力装置１１０は、使用者に適したホーム画面２００を初期画面として出力することができる。その結果、例えば、初期画面としてディスプレイ１５０に表示されたホーム画面２００を、使用者の操作に応じて他のホーム画面２００に切り替えるなどの処理の発生が抑制される。
【０２０３】
すなわち、本実施の形態の放送画像出力装置１１０によれば、初期画面の提示に係る処理を効率よく実行することができる。
【０２０４】
また、本実施の形態において、制御部１１６は、出力部１１４によって出力されるホーム画面２００を他のホーム画面２００に切り替える指示であるホーム切替指示を受け付けた場合、当該ホーム切替指示に従って、出力部１１４から当該他のホーム画面２００を出力させる。
【０２０５】
これにより、使用者に様々なタイプのホーム画面２００であって、例えば配置されたアプリ（アプリ画像２２０）が互いに異なった複数のホーム画面２００を提示することができる。
【０２０６】
また、本実施の形態において、出力部１１４は、複数のホーム画面２００のうちの少なくとも２つのホーム画面２００それぞれの少なくとも一部を表示するホーム切替画面３００を出力する。制御部１１６は、出力部１１４からホーム切替画面３００が出力されている期間に、ホーム切替指示である、当該少なくとも２つのホーム画面２００の中から選択された１つのホーム画面２００の指定を受け付ける。
【０２０７】
これにより、使用者に、ホーム画面２００の切り替えを容易に行わせることができる。その結果、ホーム画面２００の切り替えに係る処理を効率よく実行することができる。
【０２０８】
また、本実施の形態において、出力部１１４は、制御部１１６による制御に従って、複数のホーム画面２００のうちの１つのホーム画面２００であって、放送画像２１０および放送画像２１０以外の画像（本実施の形態ではアプリ画像２２０）の両方を含むホーム画面２００を出力する。
【０２０９】
これにより、例えば、使用者による放送番組の視聴を可能にするとともに、各種アプリによる様々な情報の使用者への提供も可能となる。
【０２１０】
また、本実施の形態において、制御部１１６は、放送画像２１０がホーム画面２００の一部に表示されている場合において、放送画像２１０に対する所定の指示を受け付けた場合、出力部１１４に、放送画像２１０を拡大することで得られる拡大放送画面２１０ａを出力させる。
【０２１１】
これにより、使用者に、ホーム画面２００の一部である放送画像２１０に示される放送番組を、より大きな拡大放送画面２１０ａで視聴させることができる。
【０２１２】
また、本実施の形態において、制御部１１６は、放送画像出力装置１１０の電源がオンにされた場合、複数のホーム画面２００のうちの、出力部１１４が最後に出力したホーム画面２００である最終ホーム画面を示す設定情報１２０に従って、最終ホーム画面を選択し、選択した最終ホーム画面を、初期画面として出力部１１４に出力させる。
【０２１３】
また、本実施の形態において、制御部１１６はさらに、使用者からの指示に従って設定情報１２０を更新し、設定情報１２０の更新後に、放送画像出力装置１１０の電源がオンにされた場合、更新された設定情報１２０に示されるホーム画面２００を選択し、選択したホーム画面２００を、初期画面として出力部１１４に出力させる。
【０２１４】
これにより、使用者は、初期画面として表示されるホーム画面２００を、いつでも自由に変更することができる。
【０２１５】
また、本実施の形態において、放送画像出力装置１１０はさらに、使用者の身体的特徴を示す特徴情報を取得し、取得した特徴情報に従って使用者を識別する識別部１１８を備え、制御部１１６はさらに、識別部１１８による識別結果に応じて、複数のホーム画面２００のうちのいずれかを選択し、選択したホーム画面２００を前記出力部１１４に出力させる。
【０２１６】
これにより、例えば、テレビ１００を使用する使用者が複数存在する場合に、使用者のそれぞれに適したホーム画面２００が自動的に選択され、初期画面として表示される。
【０２１７】
また、本実施の形態におけるテレビ１００は、例えば、図１８に示すように、プロセッサ１０１、チューナ１０２、およびディスプレイ１５０、を用いて、以下のように表現することができる。
【０２１８】
すなわち、本実施の形態におけるテレビ１００は、放送を受信するチューナ１０２と、チューナ１０２が受信した放送に関する放送画像２１０を表示することのできるディスプレイ１５０と、ディスプレイ１５０の表示を制御するプロセッサ１０１とを備えたテレビ１００である。ディスプレイ１５０は、プロセッサ１０１の制御に従って、複数のホーム画面２００のうちのいずれかを表示する。プロセッサ１０１は、予め設定された設定情報１２０に従って複数のホーム画面２００のいずれかを選択し、選択したホーム画面２００を、テレビ１００の電源がオンにされた後の初期画面であって、使用者の操作を受け付けることのできる初期画面として、ディスプレイ１５０に表示させる。
【０２１９】
なお、チューナ１０２は、例えば実施の形態における受信部１１２として機能してもよい。また、プロセッサ１０１は、例えば実施の形態における制御部１１６として機能してもよい。言い換えると、受信部１１２がチューナ１０２によって実現されてもよく、また、制御部１１６がプロセッサ１０１によって実現されてもよい。
【０２２０】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０２２１】
そこで、以下、他の実施の形態を例示する。
【０２２２】
上記実施の形態では、ホーム画面２００として例示した３つのホーム画面２００（図５Ａ〜図５Ｃ参照）には、いずれも放送画像２１０が含まれている。しかしながら、ホーム画面２００として、放送画像２１０を含まず、１以上のアプリ画像２２０を含むホーム画面２００が出力部１１４から出力されてもよい。
【０２２３】
また、ホーム画面２００の表示領域の全てが、放送画像２１０またはアプリ画像２２０で埋められていなくてもよい。
【０２２４】
例えば、くらしのホーム２００ａ（図５Ａ参照）において、７つ配置されているアプリ画像２２０のうちの少なくとも１つがなくてもよい。この場合、アプリ画像２２０が配置されていないことにより生じる空領域２０２には、例えば、くらしのホーム２００ａに設定された背景画像が表示されてもよい。
【０２２５】
また、上記実施の形態では、ホーム画面２００は、図４に示すように、縦４列、横４列（４×４）の矩形領域２０１に区分され、例えば、放送画像２１０は、くらしのホーム２００ａでは、３×３の矩形領域２０１で形成される領域に表示されるとした。
【０２２６】
しかしながら、放送画像２１０およびアプリ画像２２０のそれぞれは、ホーム画面２００内で、大きさが変更されてもよい。
【０２２７】
例えば、図５Ｃに示すネットのホーム２００ｃにおいて、２×２の矩形領域２０１で形成される領域に表示されている放送画像２１０を、使用者によるリモコン１７０の所定の操作により、３×３の矩形領域２０１で形成される領域に表示してもよい。
【０２２８】
この場合、例えば、ブックマークブラウザ２４０およびＲＳＳリーダ２４５のそれぞれを縮小し、くらしのホーム２００ａ（図５Ａ参照）と同じく、１つの放送画像２１０の右辺と下辺とに沿って、６つのアプリ画像２２０が配置されるレイアウトに変更されてもよい。
【０２２９】
また、矩形領域２０１のサイズを小さくすること（例えば、ホーム画面２００を８×８の矩形領域２０１に区分すること）で、放送画像２１０およびアプリ画像２２０のそれぞれの拡大および縮小を、より多段階に実行することも可能である。
【０２３０】
つまり、ホーム画面２００をより小さな単位で区切ることで、放送画像２１０およびアプリ画像２２０の配置レイアウトの自由度を大きくすることができる。
【０２３１】
このように、制御部１１６はさらに、放送画像２１０が、出力部１１４から出力されているホーム画面２００の一部分に配置されている場合において、放送画像２１０の大きさを変更する指示を受け付けた場合、当該指示に応じて変更された大きさの放送画像２１０を含むホーム画面２００を出力部１１４に出力させる、としてもよい。
【０２３２】
また、制御部１１６はさらに、放送画像２１０以外の画像が、出力部１１４から出力されているホーム画面２００の一部分に配置されている場合において、放送画像２１０以外の画像の大きさの変更をする指示を受け付けた場合、当該指示に応じて変更された大きさの放送画像２１０以外の画像を含むホーム画面２００を出力部１１４にさせる、としてもよい。
【０２３３】
これにより、例えば、使用者により適したホーム画面２００の提供を行うことができる。
【０２３４】
また、例えば、ホーム画面２００を縦または横にスクロールさせてもよい。これにより、１つのホーム画面２００に配置される放送画像２１０およびアプリ画像２２０の総数を増加させることができる。
【０２３５】
また、初期画面についての選択肢は、図１２に示す３種類に限定されない。
【０２３６】
例えば、テレビ１００の電源がオンにされた時刻に応じて初期画面として選択されるホーム画面２００を変更する、“時刻により変更”が、選択肢の一つとして採用されてもよい。
【０２３７】
図１９は、初期画面として表示するホーム画面２００を時刻に応じて変更する機能を有するテレビ１００の基本的な機能構成を示す図である。
【０２３８】
図１９に示す放送画像出力装置１１０は、時刻を特定する特定部１１９を有する。制御部１１６は、特定部１１９が特定した時刻に応じて、複数のホーム画面２００のうちのいずれかを選択し、選択したホーム画面２００を出力部１１４に出力させる。
【０２３９】
つまり、設定情報１２０が、“時刻により変更”を示す場合、放送画像出力装置１１０は、テレビ１００がオンにされた時刻に応じたホーム画面２００を選択して出力する。
【０２４０】
例えば、２４時間を、朝、昼、夜の３つの時間帯に区分した場合、放送画像出力装置１１０は、テレビ１００がオンにされた時刻がどの時間帯に属しているかに応じて、ホーム画面２００を選択して出力する。
【０２４１】
なお、時間帯とホーム画面２００との対応付けは、テレビ１００の工場出荷時に予め設定されていてもよく、また、使用者によって設定されてもよい。また、当該対応付けは、設定情報１２０に含まれてもよい。
【０２４２】
また、上記実施の形態において、設定情報１２０等の、放送画像出力装置１１０が、参照または処理する各種情報およびデータは、記憶部１１７に格納されているとした。しかしながら、各種情報およびデータは、例えば、インターネット等を介して外部の装置から取得されてもよい。
【０２４３】
例えば、放送画像出力装置１１０は、テレビ１００にケーブル接続されたビデオレコーダ、または、インターネットを介して通信可能なサーバから、ホーム画面２００の画面レイアウト情報を取得してもよい。
【０２４４】
つまり、他の装置で作成されたホーム画面２００が、放送画像出力装置１１０が出力可能なホーム画面２００として追加されてもよい。
【０２４５】
また、ホーム画面２００に配置されるアプリ画像２２０および当該アプリ画像２２０に対応付けられたアプリも、テレビ１００内に常に保持されている必要はない。
【０２４６】
例えば、ホーム画面２００が放送画像出力装置１１０から出力される際に、インターネットを介して通信可能なサーバから、当該ホーム画面２００に対応付けられたアプリ画像２２０およびアプリが取得されてもよい。
【０２４７】
また、本実施の形態の放送画像出力装置１１０は、電源がオンにされた後であって、初期画面としてホーム画面２００を出力する前に、例えばテレビ１００の生産者を示すロゴ等の、ホーム画面２００以外の画像を出力してもよい。
【０２４８】
また、本実施の形態の放送画像出力装置１１０は、使用者の顔ではなく、他の身体的特徴に基づいて、初期画面として出力するホーム画面２００を選択してもよい。
【０２４９】
例えば、識別部１１８（図１７参照）が、使用者の声、指紋、または静脈等の身体的特徴を示す特徴情報を取得し、取得した特徴情報に従って、使用者を識別してもよい。
【０２５０】
以上のように、本開示における技術の例示として、実施の形態を説明した。そのために、添付図面および詳細な説明を提供した。
【０２５１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２５２】
また、上述の実施の形態は、本開示における技術を例示するためのものであるから、特許請求の範囲またはその均等の範囲において種々の変更、置き換え、付加、省略などを行うことができる。
【産業上の利用可能性】
【０２５３】
本開示は、使用者に適した初期画面の提示に係る処理を効率よく実行することができる放送画像出力装置に適用可能である。具体的には、テレビ、ＰＣ、サーバ、携帯端末、ビデオカメラ、およびビデオレコーダ等の電子機器に、本開示は適用可能である。また、同様の機能を実行可能なプログラムを格納したＣＤまたはＤＶＤ等の記録メディアにも本開示は適用可能である。
【符号の説明】
【０２５４】
１００  テレビ
１０１  プロセッサ
１０２  チューナ
１１０  放送画像出力装置
１１２  受信部
１１４  出力部
１１６  制御部
１１７  記憶部
１１８  識別部
１１９  特定部
１２０  設定情報
１５０  ディスプレイ
１６０  カメラ
１７０  リモコン
１７１  十字キー
１７２  決定キー
１７３  Ｈｏｍｅキー
１７４  Ａｐｐｓキー
２００  ホーム画面
２００ａ  くらしのホーム
２００ｂ  テレビのホーム
２００ｃ  ネットのホーム
２０１  矩形領域
２０２  空領域
２０５  新規ホーム追加
２０６  放送番組
２０７  テンプレート選択画面
２１０  放送画像
２１０ａ  拡大放送画面
２２０  アプリ画像
２２０ａ  アプリ画面
２２１  時計
２２２  天気予報
２２３  タイマー
２２４  写真
２２５  カレンダー
２２６  メモ
２２７  広告
２２８  裏番組
２３０  録画一覧
２３１  予約一覧
２４０  ブックマークブラウザ
２４５  ＲＳＳリーダ
２５０  ホーム切替ボタン
２５１  ホーム設定ボタン
２５２  アプリ編集ボタン
２５３  検索ボタン
２６０  フォーカス
３００  ホーム切替画面
【図１】
2014127879.tif 000003
【図２】
2014127879.tif 000004
【図３】
2014127879.tif 000005
【図４】
2014127879.tif 000006
【図５Ａ】
2014127879.tif 000007
【図５Ｂ】
2014127879.tif 000008
【図５Ｃ】
2014127879.tif 000009
【図６】
2014127879.tif 000010
【図７Ａ】
2014127879.tif 000011
【図７Ｂ】
2014127879.tif 000012
【図８】
2014127879.tif 000013
【図９】
2014127879.tif 000014
【図１０】
2014127879.tif 000015
【図１１】
2014127879.tif 000016
【図１２】
2014127879.tif 000017
【図１３】
2014127879.tif 000018
【図１４】
2014127879.tif 000019
【図１５】
2014127879.tif 000020
【図１６】
2014127879.tif 000021
【図１７】
2014127879.tif 000022
【図１８】
2014127879.tif 000023
【図１９】
2014127879.tif 000024